(57)【要約】【課題】架台フレームに対して太陽電池モジュールをしっかり固定でき、且つ屋根上での固定作業が簡単で施工性に優れた太陽光発電装置を提供することである。【解決手段】本開示の一態様である太陽光発電装置１０は、屋根上に配置される長尺状の架台フレーム３０と、太陽電池パネル１２の端縁部に設けられたモジュールフレーム１３を有し、架台フレーム３０上に載置される太陽電池モジュール１１と、架台フレーム３０上でモジュールフレーム１３に係合し、架台フレーム３０に太陽電池モジュール１１を固定するための固定金具とを備える。固定金具は、架台フレーム３０上に配置されるベース部と、ベース部から下方に延びて架台フレーム３０の側壁部上に張り出し、当該側壁部に固定される脚部とを有する。【選択図】図３
2017020266.tif 000002
【特許請求の範囲】
【請求項１】
屋根上に配置される長尺状の架台フレームと、
太陽電池パネルの端縁部に設けられたモジュールフレームを有し、前記架台フレーム上に載置される太陽電池モジュールと、
前記架台フレーム上で前記モジュールフレームに係合し、前記架台フレームに前記太陽電池モジュールを固定するための固定金具と、
を備え、
前記固定金具は、前記架台フレーム上に配置されるベース部と、前記ベース部から下方に延びて前記架台フレームの側壁部上に張り出し、当該側壁部に固定される脚部とを有する、太陽光発電装置。
【請求項２】
前記架台フレームの前記側壁部及び前記固定金具の前記脚部には、ボルト孔がそれぞれ形成されており、当該各ボルト孔に挿通されるボルトを用いて前記側壁部に前記脚部が固定されている、請求項１に記載の太陽光発電装置。
【請求項３】
前記モジュールフレームは、前記太陽電池パネルの端縁部を収納する内溝と、前記太陽電池パネルと反対側に設けられた外溝と、前記太陽電池モジュールの内側に張り出した内鍔とを有し、
前記固定金具は、前記ベース部及び前記脚部をそれぞれ有する第１及び第２金具を含み、当該第１金具は前記外溝に挿し込まれる第１挿嵌部を有し、当該第２金具は前記内鍔を押える押え部を有する、請求項２に記載の太陽光発電装置。
【請求項４】
前記太陽電池モジュールは、前記モジュールフレームをそれぞれ有する第１及び第２の太陽電池モジュールを含み、当該第１の太陽電池モジュールが当該第２の太陽電池モジュールの軒側に隣接配置されており、
前記固定金具は、前記ベース部、前記脚部、及び前記第１の太陽電池モジュールの前記外溝に挿し込まれる挿嵌部を有する第３金具を含み、
前記第１金具の前記第１挿嵌部は、前記第２の太陽電池モジュールの前記外溝に挿し込まれ、前記第２金具の前記押え部は、前記第１の太陽電池モジュールの前記内鍔を押える、請求項３に記載の太陽光発電装置。
【請求項５】
前記第１金具の前記脚部は、前記第３金具の前記脚部と前記架台フレームの前記側壁部との間に配置され、前記ボルトを用いて前記第３金具と共に前記側壁部に固定される、
又は、
前記第３金具の前記脚部は、前記第１金具の前記脚部と前記架台フレームの前記側壁部との間に配置され、前記ボルトを用いて前記第１金具と共に前記側壁部に固定される、請求項４に記載の太陽光発電装置。
【請求項６】
前記第１金具は、前記第２の太陽電池モジュールの前記外溝に挿し込まれる第２挿嵌部を有する、請求項３に記載の太陽光発電装置。
【請求項７】
前記架台フレームは、互いに略平行に対向配置された２つの前記側壁部を有し、
前記固定金具は、前記架台フレームの前記各側壁部上に張り出して当該各側壁部に固定される、互いに略平行に対向配置された２つの前記脚部を有する、請求項２〜６のいずれか１項に記載の太陽光発電装置。
【請求項８】
前記ボルトは、対向配置された前記脚部同士の間隔よりも長く、前記各脚部の前記ボルト孔に挿通され、
前記固定金具は、１本の当該ボルトを用いて前記架台フレームの前記各側壁部に固定されている、請求項７に記載の太陽光発電装置。
【請求項９】
前記架台フレームは、前記各側壁部をつなぐ下壁部を有し、上方に向かって開口しており、
前記架台フレームの前記各側壁部の間に設けられた、前記ボルトが挿通されるボルト孔を有する補強金具を備え、
前記ボルトは、前記架台フレームの前記ボルト孔、前記固定金具の前記ボルト孔、及び前記補強金具の前記ボルト孔に挿通され、前記補強金具を前記各側壁部の間に挟んだ状態で、前記固定金具の前記脚部を前記各側壁部に固定する、請求項８に記載の太陽光発電装置。
【請求項１０】
前記架台フレームは、当該フレームの幅方向一方側に設けられた前記側壁部と、前記側壁部の上端部から幅方向他方側に延びる上壁部と、前記側壁部の下端部から幅方向他方側に延びる下壁部とを有し、幅方向他方側に向かって開口しており、
前記各固定金具は、前記ベース部の横方向一端側に設けられた前記脚部と、前記ベース部の横方向他端側に設けられ、前記架台フレームの前記上壁部に引っ掛けられる係止部とを有する、請求項２〜６のいずれか１項に記載の太陽光発電装置。
【発明の詳細な説明】
【技術分野】
【０００１】
本開示は、太陽光発電装置に関する。
【背景技術】
【０００２】
従来、屋根に太陽電池モジュールを固定して太陽光発電装置を構築する際に用いられる種々の固定構造が知られている。例えば、特許文献１には、モジュールフレームの外側に張り出した鍔部を断面略Ｕ字形状の押え金具で押え付け、当該金具を屋根に設置された架台フレーム上にボルト止めして太陽電池モジュールを固定する構造が開示されている。
【先行技術文献】
【特許文献】
【０００３】
【特許文献１】特開２０１４−１９４１３３号公報
【発明の概要】
【発明が解決しようとする課題】
【０００４】
太陽光発電装置では、架台フレームに対して太陽電池モジュールをしっかり固定できることはもとより、屋根上での固定作業が簡単で施工性に優れることが求められている。特許文献１に開示された技術は、例えば施工性について改良の余地がある。
【課題を解決するための手段】
【０００５】
本開示の一態様である太陽光発電装置は、屋根上に配置される長尺状の架台フレームと、太陽電池パネルの端縁部に設けられたモジュールフレームを有し、架台フレーム上に載置される太陽電池モジュールと、架台フレーム上でモジュールフレームに係合し、架台フレームに太陽電池モジュールを固定するための固定金具とを備え、固定金具は、架台フレーム上に配置されるベース部と、ベース部から下方に延びて架台フレームの側壁部上に張り出し、当該側壁部に固定される脚部とを有する。
【発明の効果】
【０００６】
本開示の一態様によれば、架台フレームに対して太陽電池モジュールをしっかり固定でき、且つ屋根上での固定作業が簡単で施工性に優れた太陽光発電装置を提供することができる。
【図面の簡単な説明】
【０００７】
【図１】実施形態の一例である太陽光発電装置の平面図である。
【図２】実施形態の一例である太陽電池モジュールの断面図である。
【図３】図１中のＡＡ線断面の一部を示す図である。
【図４】実施形態の一例である架台フレームの斜視図である（ボルト３４及びナット３６の図示省略）。
【図５】図４中のＢＢ線断面図である。
【図６】実施形態の一例である第１金具の斜視図である。
【図７】図６中のＣＣ線断面図である。
【図８】実施形態の一例である第２金具の斜視図である。
【図９】図８中のＤＤ線断面図である。
【図１０】実施形態の一例である第３金具の斜視図である。
【図１１】図１１中のＥＥ線断面図である。
【図１２】実施形態の一例である太陽光発電装置の軒側端部及びその近傍を示す断面図である。
【図１３】実施形態の一例である軒側端部用金具の斜視図である。
【図１４】図１３中のＦＦ線断面図である。
【図１５】実施形態の一例である太陽光発電装置の施工方法を説明するための図である。
【図１６】実施形態の一例である太陽光発電装置の施工方法を説明するための図である。
【図１７】実施形態の一例である架台フレーム及び固定金具（第２金具）の変形例を示す図である。
【図１８】実施形態の他の一例である太陽光発電装置を示す断面図である。
【図１９】実施形態の他の一例である架台フレームの断面図である。
【図２０】実施形態の他の一例である第１金具の斜視図である。
【図２１】図２０中のＧＧ線断面図である。
【図２２】実施形態の他の一例である第２金具の斜視図である。
【図２３】図２２中のＨＨ線断面図である。
【図２４】実施形態の他の一例である太陽光発電装置を示す断面図である。
【図２５】実施形態の他の一例である架台フレームの断面図である。
【図２６】実施形態の他の一例である第１金具の斜視図である。
【図２７】図２６中のＩＩ線断面図である。
【図２８】実施形態の他の一例である第２金具の斜視図である。
【図２９】図２８中のＪＪ線断面図である。
【図３０】実施形態の他の一例である架台フレーム及び固定金具の斜視図である。
【図３１】実施形態の他の一例である架台フレーム及び固定金具の斜視図である。
【発明を実施するための形態】
【０００８】
以下、図面を参照しながら、実施形態の一例について詳細に説明する。
実施形態において参照する図面は、模式的に記載されたものであり、図面に描画された構成要素の寸法比率などは、現物と異なる場合がある。具体的な寸法比率等は、以下の説明を参酌して判断されるべきである。本明細書において、「略＊＊」との記載は、略同一を例に挙げて説明すると、完全に同一はもとより、実質的に同一と認められる場合を含む意図である。
【０００９】
本明細書では、固定金具が架台フレームに取り付けられた状態で、屋根の桁方向（屋根の軒棟方向に垂直な方向）に沿う金具の方向を「横方向」、屋根の野地板に垂直な方向に沿う金具の方向を「上下方向」という。また、屋根の軒棟方向に沿う金具の方向を縦方向という場合がある。実施形態の説明で用いる図面には、屋根の軒棟方向・縦方向を矢印α、桁方向・横方向を矢印β、上下方向を矢印γで示す。
【００１０】
図１〜図１７を参照しながら、実施形態の一例である太陽光発電装置１０について以下詳細に説明する。
【００１１】
図１は、屋根に設置された太陽光発電装置１０を示す図である。
図１に例示するように、太陽光発電装置１０は、屋根上に配置された長尺状の架台フレーム３０上に複数の太陽電池モジュール１１を並べて設置することで構成されている。詳しくは後述するが、太陽光発電装置１０は、架台フレーム３０に太陽電池モジュール１１を固定するための固定金具１４として、第１金具５０、第２金具６０、及び第３金具７０を備える（後述の図３参照）。各金具は、屋根の軒側に配置される太陽電池モジュール１１ａ（第１の太陽電池モジュール）と、太陽電池モジュール１１ａの棟側に隣接配置される太陽電池モジュール１１ｂ（第２の太陽電池モジュール）との境界部分に取り付けられる。太陽光発電装置１０の軒側端部には、軒側端部用金具８０（後述の図１２参照）が取り付けられ、棟側端部には、例えば別の固定金具（図示せず）が取り付けられる。
【００１２】
太陽電池モジュール１１ａ，１１ｂ（第１、第２の太陽電池モジュール）の用語は、２つの太陽電池モジュールについての相対的な位置関係を示すものである。即ち、太陽光発電装置１０を構成する複数の太陽電池モジュール１１のうち、軒棟方向に隣接する任意の２枚の太陽電池モジュール１１について、軒側に配置される方が太陽電池モジュール１１ａとなり、棟側に配置される方が太陽電池モジュール１１ｂとなる。
【００１３】
架台フレーム３０は、その長手方向が屋根の軒棟方向に沿うように屋根上に配置される。架台フレーム３０は、軒棟方向に複数の太陽電池モジュール１１を配置可能な長さを有する。１枚の太陽電池モジュール１１は、例えば屋根の桁方向に適当な間隔をあけて互いに略平行に配置された２本の架台フレーム３０上に載置される。架台フレーム３０は、例えば表面に保護被膜が形成された鋼材から構成される。
【００１４】
太陽電池モジュール１１は、太陽電池パネル１２と、当該パネルの端縁部に設けられたモジュールフレーム１３（以下、「フレーム１３」とする）とを有し、架台フレーム３０上に載置される。太陽電池パネル１２は、例えば複数の太陽電池セルがガラス板等の保護部材で挟持された略平坦なパネルである。図１に例示する太陽電池モジュール１１及び太陽電池パネル１２は、平面視で略長方形である。各太陽電池モジュール１１は、短辺が軒棟方向に略平行であり、隣り合う太陽電池モジュール１１の短辺同士が接触した状態で屋根上に配置されている。なお、太陽電池モジュール１１は、長方形以外の平面視形状を有していてもよく、正方形等の他の形状であってもよい。
【００１５】
フレーム１３は、太陽電池パネル１２の端縁部を保護し、架台フレーム３０に対する太陽電池モジュール１１の固定に利用される。フレーム１３は、例えばアルミニウム等の金属材料を押出成形して形成される長尺状の部材である。フレーム１３は、太陽電池パネル１２の各長辺及び各短辺に沿って取り付けられる複数の部材からなり、コーナーピース等を用いて互いに接続されて太陽電池パネル１２の四方を囲むことが好適である。本実施形態では、後述する外溝２４及び内鍔２６が、太陽電池パネル１２の長辺に沿って取り付けられるフレーム１３、即ち架台フレーム３０に略直交するフレーム１３のみに設けられている。
【００１６】
図２は、太陽電池モジュール１１の断面図（フレーム１３の幅方向断面図）である。
図２に例示するように、フレーム１３は、本体部２０と、太陽電池パネル１２の端縁部を収納する内溝２２と、太陽電池パネル１２と反対側に設けられる外溝２４と、太陽電池モジュール１１の内側に張り出した内鍔２６とを有する。内溝２２はフレーム１３の幅方向一方側（内側）に開口した溝であって、外溝２４は内溝２２と反対側である幅方向他方側（外側）に開口した溝である。本実施形態では、内溝２２及び外溝２４の深さ方向、内鍔２６の延出方向が屋根の軒棟方向に沿っている。また、内溝２２はフレーム１３の上部に形成され、外溝２４及び内鍔２６はフレーム１３の下部に形成されている。本体部２０の形状は特に限定されないが、剛性の向上、軽量化、材料コスト削減等の観点から、好ましくは中空の角柱形状を有する。
【００１７】
フレーム１３は、本体部２０の上面に立設した鉤部２１を有する。鉤部２１は、本体部２０の外側から上方に真っ直ぐ延び、内側に折れ曲がって断面略Ｌ字状に形成されている。本体部２０の上面と鉤部２１との間に、太陽電池パネル１２を挿入可能な隙間である内溝２２が形成されている。内溝２２は、フレーム１３の長手方向に沿って形成される。内溝２２には太陽電池パネル１２の端縁部が挿入され、太陽電池パネル１２と内溝２２の隙間には、例えば接着剤が充填される。
【００１８】
フレーム１３は、本体部２０の下面に立設した鉤部２３を有する。鉤部２３は、本体部２０の内側から下方に真っ直ぐ延び、外側に折れ曲がって断面略Ｌ字状に形成されている。本体部２０の下面と鉤部２３との間に、固定金具１４の挿嵌部を挿し込み可能な隙間である外溝２４が形成される。外溝２４は、固定金具１４を取り付ける部分のみに形成されてもよいが、好ましくはフレーム１３の長手方向に沿って連続的に形成される。底板２５は、鉤部２３の一部であって、フレーム１３の底部を構成する部分である。
【００１９】
内鍔２６は、フレーム１３の下部から太陽電池モジュール１１の内側（フレーム１３の幅方向他方側）に向かって延出し、太陽電池モジュール１１の内側に向いたフレーム１３の内側壁に対して略垂直に設けられることが好ましい。本実施形態では、鉤部２３のうちフレーム１３の内側壁を構成する部分（上下方向に沿った部分）から内鍔２６が延出し、内鍔２６は底板２５と共にフレーム１３の底部を構成する。底板２５の下面と内鍔２６の下面は、連続した段差のない平坦な面（フレーム１３の下面）を形成している。内鍔２６は、固定金具１４を取り付ける部分のみに形成されてもよいが、好ましくはフレーム１３の長手方向に沿って連続的に形成される。
【００２０】
図３は、図１中のＡＡ線断面の一部を示す図である。
図３では、軒棟方向に隣接配置される太陽電池モジュール１１ａ，１１ｂの各構成要素に、それぞれ「ａ」、「ｂ」を付する。
【００２１】
図３に例示するように、太陽光発電装置１０は、架台フレーム３０上でフレーム１３に係合し、架台フレーム３０に太陽電池モジュール１１を固定するための固定金具１４として、第１金具５０と、第２金具６０と、第３金具７０とを備える。各金具は、上記の通り軒棟方向に隣接配置される太陽電池モジュール１１ａ，１１ｂの境界部分に取り付けられている。本実施形態では、当該境界部分において、第１金具５０が太陽電池モジュール１１ｂの軒側端部に設けられたフレーム１３ｂに取り付けられ、第２金具６０と第３金具７０が太陽電池モジュール１１ａの棟側端部に設けられたフレーム１３ａに取り付けられている。詳しくは後述するが（図４，５参照）、架台フレーム３０は互いに略平行に対向配置された２つの側壁部３２，３３を有し、上方に向かって開口した断面略コの字状の部材である。
【００２２】
太陽光発電装置１０では、太陽電池モジュール１１ａ，１１ｂの境界部分において、第１金具５０上にフレーム１３ｂが載置され、第３金具７０上にフレーム１３ａが載置される。第１金具５０は、当該境界部分においてフレーム１３ｂの外溝２４ｂに挿し込まれる挿嵌部５２（第１挿嵌部）を有する。第３金具７０は、当該境界部分においてフレーム１３ａの外溝２４ａに挿し込まれる挿嵌部７２を有する。第２金具６０上にはフレーム１３ａが載置されず、第２金具６０は当該境界部分においてフレーム１３ａの内鍔２６ａを押える押え部６２を有する。
【００２３】
第１金具５０、第２金具６０、及び第３金具７０は、架台フレーム３０上に配置されるベース部５１，６１，７１と、当該ベース部から下方に延びた脚部５４，６４，７４とをそれぞれ有する。各金具は、互いに略平行に対向配置された２つの脚部５４，６４，７４をそれぞれ有し（後述の図６，８，１０等参照）、各脚部が架台フレーム３０の側壁部３２，３３上に張り出して当該側壁部に固定されることが好適である。即ち、各金具の各脚部同士の間隔は、側壁部３２，３３同士の間隔よりも広い。架台フレーム３０の側壁部３２，３３及び各金具の脚部には、ボルト孔（後述の図４，５等参照）がそれぞれ形成されており、当該各ボルト孔に挿通されるボルト３４を用いて側壁部３２，３３に各脚部が固定される。
【００２４】
本実施形態では、第１金具５０と第３金具７０が１本のボルト３４を用いて、また第２金具６０が別の１本のボルト３４を用いて架台フレーム３０に固定されている。具体的には、第１金具５０の脚部５４の一部が、第３金具７０の脚部７４と架台フレーム３０の側壁部３２との間に配置され、ボルト３４を用いて第３金具７０と共に側壁部３２，３３にそれぞれ固定される。即ち、第３金具７０の脚部７４同士の間隔は、第１金具５０の脚部５４同士の間隔よりも広く形成されている。なお、第３金具７０の脚部７４の一部が、第１金具５０の脚部５４と架台フレーム３０の側壁部３２との間に配置され、ボルト３４を用いて第１金具５０と共に側壁部３２，３３にそれぞれ固定されてもよい。
【００２５】
図４及び図５は、各金具が載せられた架台フレーム３０を示す図である。
架台フレーム３０は、互いに略平行に対向配置された２つの側壁部３２，３３を有する。側壁部３２，３３は、上下方向長さ、長手方向長さ共に互いに略同一である。架台フレーム３０は、側壁部３２，３３同士をつなぐ部分として上壁部３１を有する断面略コの字状の部材であって、当該フレームの長手方向に沿って形成される開口部が下を向いた状態で屋根上に配置されている。側壁部３２，３３は上壁部３１の幅方向両端部から下方に延び、上壁部３１に対して略垂直に形成されている。架台フレームの形状等はこれに限定されず、例えばフレームの長手方向に沿った開口部を有さない角柱形状の架台フレームであってもよい。但し、施工性、材料コストなどを考慮すると、当該開口部を有することが好ましい。
【００２６】
架台フレーム３０は、例えばアンカーを用いて屋根の野地板に固定される。アンカーは、野地板に固定される板状の固定部（図示せず）と、固定部に対して略垂直に設けられたアンカーボルト４６（図５参照）とを有する。アンカーボルト４６は、例えば屋根材に形成された貫通孔から屋根材の表側に突き出している。本実施形態では、フレーム受け金具４０を介して架台フレーム３０がアンカーボルト４６に固定されている。フレーム受け金具４０は、架台フレーム３０と同様に断面略コの字状の部材であって、互いに略平行に対向配置された２つの側壁部４２，４３と、当該側壁部同士をつなぐ下壁部４１とを有する。フレーム受け金具４０の軒棟方向に沿った長さは架台フレーム３０よりも短く、架台フレーム３０及びアンカーボルト４６との固定に支障のない長さであればよい。
【００２７】
フレーム受け金具４０は、当該金具の長手方向に沿った開口部が上を向いた状態でアンカーボルト４６に固定されることが好適である。フレーム受け金具４０の下壁部４１には、アンカーボルト４６が挿通可能な貫通孔（図示せず）が形成されている。例えば、アンカーボルト４６に取り付けたナット４７の上に下壁部４１を載せ、下壁部４１の上からナット４８を当該ボルトに取り付けることで当該ボルトに架台フレーム３０を固定できる。図５に示す例では、側壁部４２，４３の上下方向長さが架台フレーム３０の側壁部３２，３３の上下方向長さよりも短く、また側壁部４２，４３同士の間隔は側壁部３２，３３同士の間隔よりも広い。架台フレーム３０の側壁部３２，３３は、フレーム受け金具４０の側壁部４２，４３の間に配置され、ボルト４４とナット４５を用いて側壁部４２，４３に固定される。なお、側壁部３２，３３，４２，４３には、ボルト４４が挿通される図示しないボルト孔がそれぞれ形成されている。
【００２８】
第１金具５０、第２金具６０、及び第３金具７０は、ベース部５１，６１，７１が架台フレーム３０の上壁部３１上に載せられ、脚部５４，６４，７４が側壁部３２，３３に沿って延びるように、架台フレーム３０上に跨って配置されている。上記の通り、脚部５４，６４，７４は架台フレーム３０の側壁部３２，３３上に張り出し、当該各側壁部にボルト３４及びナット３６を用いて固定される。
【００２９】
ボルト３４は、第３金具７０の脚部７４同士の間隔よりも長く、第３金具７０は、１本のボルト３４を用いて架台フレーム３０に固定されることが好適である（第２金具６０についても同様）。即ち、側壁部３２上に位置する一方の脚部７４から側壁部３３上に位置する他方の脚部７４に亘ってボルト３４が取り付けられる。２つの脚部７４間に１本のボルト３４を通すことで、例えば脚部７４毎にボルトを取り付ける場合よりも施工が容易になる。ボルト３４には、例えばフランジボルトが用いられる。側壁部３２，３３に形成されるボルト孔３５は、バーリング加工されていることが好適である。
【００３０】
本実施形態では、第３金具７０の脚部７４同士の間隔が第１金具５０の脚部５４同士の間隔よりも広く、脚部５４の外側に脚部７４が重なった状態で各脚部が架台フレーム３０の側壁部３２，３３に固定されている。ボルト３４は、一方の脚部５４の一部が一方の脚部７４と側壁部３２との間に配置され、他方の脚部５４の一部が他方の脚部７４と側壁部３３との間に配置された状態で、脚部５４，７４のボルト孔５５，７５及び架台フレーム３０のボルト孔３５に挿通される。即ち、第１金具５０と第３金具７０は１本のボルト３４を用いて側壁部３２，３３に固定される。
【００３１】
以下、図３〜５に加えて図６〜図１１を参照しながら、第１金具５０、第２金具６０、及び第３金具７０の構成について更に詳説する。ここでは、各金具が太陽電池モジュール１１ａ，１１ｂの境界部分に取り付けられるものとして説明する。
【００３２】
図６及び図７は、第１金具５０を示す図である。
第１金具５０は、平坦な板状に形成され、フレーム１３ｂが載せられるベース部５１を有する。第１金具５０は、ベース部５１の横方向両端部から下方に延び、互いに略平行に対向配置された２つの脚部５４を有する。第１金具５０は、フレーム１３ｂとの係合部として、フレーム１３ｂの外溝２４ｂに挿し込まれる挿嵌部５２を有する。挿嵌部５２は、ベース部５１の軒側端部に形成されている。また、第１金具５０は、ベース部５１の棟側端部に形成された立壁部５６を有する。
【００３３】
挿嵌部５２は、ベース部５１との間にフレーム１３ｂの底板２５ｂを挿し込み可能な隙間が形成されるように、第１金具５０の軒側部分を棟側に折り返して形成されている。挿嵌部５２の外溝２４ｂに挿し込まれる部分は、ベース部５１上においてベース部５１と略平行に形成される。挿嵌部５２の下面には、フレーム１３ｂの底板２５ｂの上面に接触する凸部５３が形成される。図６に示す例では、挿嵌部５２の横方向両側に１つずつ凸部５３が形成されている。
【００３４】
挿嵌部５２は、下面に形成された凸部５３が底板２５ｂの上面に接触し、底板２５ｂをベース部５１に押し付ける。即ち、底板２５ｂはベース部５１と挿嵌部５２によって上下から挟持されている。ベース部５１と挿嵌部５２との好適な間隔は、例えば底板２５ｂの厚みの０．９５〜１．０５倍である。
【００３５】
脚部５４は、架台フレーム３０の側壁部３２，３３に固定される部分であって、ボルト３４が挿通されるボルト孔５５を有する。例えば、脚部５４は略四角形状であり、ボルト孔５５は略真円形状である。対向配置される２つの脚部５４は、互いに略同一形状、同一寸法を有し、いずれもベース部５１に対して略垂直に設けられている。脚部５４の寸法は、側壁部３２，３３に対する脚部５４の固定、また他の金具の取り付けに支障がない長さであればよい。脚部５４の上下方向長さは、側壁部３２，３３の上下方向長さよりも短く、例えば側壁部３２，３３の上下方向長さの２０％〜５０％である。脚部５４の縦方向長さは、ベース部５１の縦方向長さと略同一、又はベース部５１よりも短い。
【００３６】
各脚部５４同士の間隔は、架台フレーム３０の側壁部３２，３３同士の間隔よりも広く形成される。第１金具５０は、一対の脚部５４が架台フレーム３０を幅方向両側から挟み、当該フレーム上に跨って配置される。このため、例えば架台フレーム３０に対する第１金具５０の固定作業において、金具の位置合わせが容易になり、また金具がフレーム上から落下することを抑制できる。第１金具５０は、架台フレーム３０上に跨って配置された状態で当該フレームの長手方向に沿ってスライド可能である。なお、第１金具５０は、架台フレーム３０に固定される前において当該フレームに拘束されていないので、例えば架台フレーム３０の長手方向端部から固定位置までスライドさせる必要はなく、架台フレーム３０の上から嵌めて固定位置に設置できる。
【００３７】
立壁部５６は、第１金具５０の棟側部分を上方に折り曲げて、ベース部５１に対して略垂直に形成される。立壁部５６は、フレーム１３ｂの内鍔２６ｂの先端に面する位置であって、ベース部５１上にフレーム１３ｂを配置する際に支障がない位置に設けられる。例えば、太陽電池モジュール１１ｂに負圧が作用したときに、立壁部５６によってフレーム１３ｂの棟側への移動が防止される。
【００３８】
第１金具５０の形状は、図６及び図７で図示する形状に限定されない。例えば、挿嵌部５２の上面に凸部５３が形成されていてもよく、或いは挿嵌部５２に凸部５３が形成されていなくてもよい。また、各脚部５４は半円形状等であってもよく、互いに異なる形状、寸法で形成されていてもよい。脚部５４は、ベース部５１の軒側端部を超えて軒側に大きく延出していてもよい。また、第１金具５０は立壁部５６を有していなくてもよい。
【００３９】
図８及び図９は、第２金具６０を示す図である。
第２金具６０は、第１金具５０と同様に、平坦な板状に形成されたベース部６１と、ベース部６１の横方向両端部から下方に延び、互いに略平行に対向配置された２つの脚部６４とを有する。第２金具６０は、フレーム１３ａとの係合部として、フレーム１３ａの内鍔２６ａを上から押え付ける押え部６２を有する。押え部６２は、ベース部６１の棟側端部に形成されている。
【００４０】
押え部６２は、断面略Ｌ字形状を有し、ベース部６１の棟側端部から延出している。押え部６２は、架台フレーム３０の上壁部３１との間にフレーム１３ａの内鍔２６ａ及び第３金具７０のベース部６１を挿し込み可能な隙間が形成されるように、第２金具６０の棟側部分を折り曲げて形成される。具体的には、第２金具６０の棟側部分を上方に折り曲げ再びベース部６１と略平行となるように折り曲げて、押え部６２が形成されている。押え部６２は、凸部５３のような突起を有さない。
【００４１】
脚部６４は、架台フレーム３０の側壁部３２，３３に固定される部分であって、ボルト３４が挿通されるボルト孔６５を有する。例えば、脚部６４は略四角形状であり、ボルト孔６５は略真円形状である。対向配置される２つの脚部６４は、互いに略同一形状、同一寸法を有し、いずれもベース部６１に対して略垂直に設けられている。脚部６４の寸法は、側壁部３２，３３に対する脚部６４の固定、また他の金具の取り付けに支障がない長さであればよい。脚部６４の上下方向長さは、側壁部３２，３３の上下方向長さよりも短く、例えば側壁部３２，３３の上下方向長さの２０％〜５０％である。脚部６４の縦方向長さは、ベース部６１の縦方向長さと略同一、又はベース部６１よりも短い。
【００４２】
各脚部６４同士の間隔は、架台フレーム３０の側壁部３２，３３同士の間隔よりも広く形成される。第２金具６０は、第１金具５０と同様に、一対の脚部６４が架台フレーム３０を幅方向両側から挟み、当該フレーム上に跨って配置される。このため、例えば架台フレーム３０に対する第２金具６０の固定作業において、金具の位置合わせが容易になり、また金具がフレーム上から落下することを抑制できる。第２金具６０は、第１金具５０と同様に、架台フレーム３０に固定される前において当該フレームに拘束されていないので、例えば架台フレーム３０の上から嵌めて目的とする固定位置に設置できる。
【００４３】
第２金具６０の形状は、図８及び図９で図示する形状に限定されない。例えば、押え部６２の下面には内鍔２６ａに接触する凸部が形成されていてもよい。また、各脚部６４は半円形状等であってもよく、互いに異なる形状、寸法で形成されていてもよい。脚部６４は、ベース部６１の棟側端部を超えて棟側に大きく延出していてもよい。
【００４４】
図１０及び図１１は、第３金具７０を示す図である。
第３金具７０は、第１金具５０及び第２金具６０と同様に、平坦な板状に形成されたベース部７１と、ベース部７１の横方向両端部から下方に延び、互いに略平行に対向配置された２つの脚部７４とを有する。第３金具７０は、フレーム１３ａとの係合部として、フレーム１３ａの外溝２４ａに挿し込まれる挿嵌部７２を有する。挿嵌部７２は、ベース部７１の棟側端部に形成されている。
【００４５】
挿嵌部７２は、ベース部７１との間にフレーム１３ａの底板２５ａを挿し込み可能な隙間が形成されるように、第３金具７０の棟側部分を軒側に折り返して形成されている。挿嵌部７２の外溝２４ａに挿し込まれる部分は、ベース部７１上においてベース部７１と略平行に形成される。挿嵌部７２の下面には、底板２５ａの上面に接触する凸部７３が形成される。図１０に示す例では、挿嵌部７２の横方向両側に１つずつ凸部７３が形成されている。
【００４６】
挿嵌部７２は、下面に形成された凸部７３が底板２５ａの上面に接触し、底板２５ａをベース部７１に押し付ける。即ち、底板２５ａはベース部６１と挿嵌部７２によって上下から挟持されている。ベース部７１と挿嵌部７２との好適な間隔は、例えば底板２５ａの厚みの０．９５〜１．０５倍である。
【００４７】
脚部７４は、架台フレーム３０の側壁部３２，３３に固定される部分であって、ボルト３４が挿通されるボルト孔７５を有する。本実施形態では、一方の脚部７４と側壁部３２との間に一方の脚部５４を介在させた状態で、また他方の脚部７４と側壁部３３との間に他方の脚部５４を介在させた状態で、各脚部５４，７４が１本のボルト３４を用いて側壁部３２，３３に固定されている。各脚部７４の縦方向長さは、ベース部７１の縦方向長さよりも長く、ベース部７１の棟側端部を超えて棟側に大きく延出している。脚部７４の棟側に大きく延出した部分にボルト孔７５が形成されており、当該延出部が第１金具５０の脚部５４の外側に配置される。即ち、各脚部７４は、挿嵌部７２がフレーム１３ａの外溝２４ａに挿し込まれた状態で、第１金具５０の脚部５４と重なる位置まで延びている。ボルト孔７５は、第３金具７０の固定位置の自由度を高めるため、縦方向に長い長孔に形成されている。
【００４８】
各脚部７４同士の間隔は、第１金具５０の脚部５４同士の間隔よりも広く形成される。第３金具７０は、各脚部７４が各脚部５４を介して架台フレーム３０を幅方向両側から挟み、当該フレーム上に跨って配置される。このため、例えば架台フレーム３０に対する第３金具７０の固定作業において、金具の位置合わせが容易になり、また金具がフレーム上から落下することを抑制できる。第３金具７０は、第１金具５０及び第２金具６０と同様に、架台フレーム３０に固定される前において当該フレームに拘束されていないので、架台フレーム３０の上から嵌めて目的とする固定位置に設置できる。
【００４９】
第３金具７０の形状は、図１０及び図１１で図示する形状に限定されない。例えば、挿嵌部７２の上面に凸部７３が形成されていてもよく、或いは挿嵌部７２に凸部７３が形成されていなくてもよい。また、各脚部７４は互いに異なる形状、寸法で形成されていてもよく、脚部５４とは別に側壁部３２，３３に固定されてもよい。
【００５０】
図１２は、太陽光発電装置１０の軒側端部及びその近傍を示す断面図である。
図１２に例示するように、太陽光発電装置１０は、架台フレーム３０の軒側端部に取り付けられるカバー９０を備えることが好適である。カバー９０は、軒側端部用金具８０を用いて架台フレーム３０に取り付けられている。カバー９０は、太陽電池モジュール１１の長辺に沿って設けられてもよく、架台フレーム３０の軒側端部のみに設けられてもよい。いずれの場合も、軒側端部用金具８０を用いて架台フレーム３０にカバー９０が取り付けられる。本実施形態では、太陽光発電装置１０の最も軒側に配置される太陽電池モジュール１１の軒側端部に第１金具５０が取り付けられており、挿嵌部５２が外溝２４に挿し込まれている。
【００５１】
カバー９０は、カバー本体９１と、当該本体から延出したパネル部９２とを有する。カバー本体９１は架台フレーム３０上において太陽電池モジュール１１の軒側端部に近接配置され、パネル部９２は架台フレーム３０の軒側端部の開口部を覆って配置されている。即ち、パネル部９２は架台フレーム３０の当該開口部を隠蔽している。カバー９０は、更に軒側端部用金具８０との固定に利用される溝部９３，９４を有する。
【００５２】
カバー本体９１は、例えば中空の略角柱形状を有する部分（角柱形状部）と、角柱形状部の下面に立設して断面略Ｌ字状に形成された鉤部とを有する。角柱形状部の下面と鉤部との間には溝部９３が形成され、また角柱形状部の下面のパネル部９２に近接する部分が上方に凹んで溝部９４が形成されている。軒側端部用金具８０は、カバー９０の溝部９３，９４にそれぞれ挿し込まれる挿嵌部８２，８３を有する。なお、カバーの形状、取り付け構造等はこれに限定されず、例えばカバー９０は軒側端部用金具８０以外の金具を用いて架台フレーム３０に固定されてもよい。
【００５３】
太陽光発電装置１０は、カバー９０と架台フレーム３０との結束力を高めるために振れ止め金具９５を備えることが好適である。振れ止め金具９５は、下部が折り曲げられた断面略Ｌ字形状の金具であって、ビス９６を用いてカバー本体９１の棟側に向いた側面に固定されている。振れ止め金具９５の下部は、軒側端部用金具８０に形成された凹部８６（後述の図１３，１４参照）に挿し込まれている。
【００５４】
図１３及び図１４は、軒側端部用金具８０を示す図である。
軒側端部用金具８０は、第３金具７０と同様に、平坦な板状に形成されたベース部８１と、ベース部８１の横方向両端部から下方に延び、互いに略平行に対向配置された２つの脚部８４とを有する。軒側端部用金具８０は、ベース部８１の軒側端部に形成された挿嵌部８２，８３を有する。図１３に示す例では、ベース部８１の軒側端部の横方向中央部に挿嵌部８３が形成されており、挿嵌部８３の横方向両側に挿嵌部８２がそれぞれ形成されている。
【００５５】
挿嵌部８２は、上記の通りカバー９０の溝部９３に挿し込まれる部分であって、軒側端部用金具８０の軒側部分を棟側に折り返して形成されている。挿嵌部８３は、カバー９０の溝部９４に挿し込まれる部分であって、軒側端部用金具８０の軒側部分を上方に折り曲げて形成されている。また、軒側端部用金具８０には、振れ止め金具９５の下部が挿し込まれる凹部８６が形成されている。
【００５６】
脚部８４は、架台フレーム３０の側壁部３２，３３に固定される部分であって、ボルト３４が挿通されるボルト孔８５を有する。各脚部８４は、ベース部８１の棟側端部を超えて棟側に大きく延出している。脚部８４の棟側に大きく延出した部分にボルト孔８５が形成されており、当該延出部が第１金具５０の脚部５４の外側に配置される。即ち、各脚部８４は、挿嵌部８２，８３がカバー９０の溝部９３，９４にそれぞれ挿し込まれた状態で、第１金具５０の脚部５４と重なる位置まで延びている。ボルト孔８５は、軒側端部用金具８０の固定位置の自由度を高めるため、縦方向に長い長孔に形成されている。各脚部８４同士の間隔は、第１金具５０の脚部５４同士の間隔よりも広く形成される。軒側端部用金具８０は、各脚部８４が各脚部５４を介して架台フレーム３０を幅方向両側から挟み、当該フレーム上に跨って配置される。
【００５７】
図１５及び図１６に、上記構成を備えた太陽光発電装置１０の施工手順の一例を示す。
太陽光発電装置１０の施工は、例えば下記手順で行われる。工程（１）の第１金具５０は、太陽電池モジュール１１ａの軒側端部を固定するために用いられ、工程（６）の第１金具５０は、太陽電池モジュール１１ｂの軒側端部を固定するために用いられる。
（１）架台フレーム３０の軒側端部近傍に第１金具５０を固定する工程。カバー９０を取    り付ける場合は、第１金具５０と共に軒側端部用金具８０が架台フレーム３０の側壁    部３２，３３に固定される。
（２）第１金具５０のベース部５１上に、太陽電池モジュール１１ａの軒側端部に設けら    れたフレーム１３ａを配置する工程。
（３）押え部６２が太陽電池モジュール１１ａの棟側端部に設けられたフレーム１３ａの    内鍔２６ａを押える位置に、第２金具６０を固定する工程。
（４）フレーム１３ａの外溝２４ａに第３金具７０の挿嵌部７２を挿し込む工程。
（５）太陽電池モジュール１１ａの棟側端部よりも棟側に第１金具５０を固定する工程で    あって、脚部５４と共に第３金具７０の脚部７４を固定する工程。
（６）第１金具５０のベース部５１上に、太陽電池モジュール１１ｂの軒側端部に設けら    れたフレーム１３ｂを配置する工程であって、挿嵌部５２をフレーム１３ｂの外溝２    ４ｂに挿し込む工程。
図１５の（ａ）〜（ｄ）は上記工程（１）〜（４）に、図１６の（ａ）及び（ｂ）は上記工程（５）及び（６）にそれぞれ対応している。
【００５８】
図１５に示すように、架台フレーム３０の軒側端部近傍の側壁部３２，３３に第１金具５０を固定する（工程（１））。第１金具５０の脚部５４は、ボルト３４を用いて軒側端部用金具８０の脚部８４と共に側壁部３２，３３に固定される。架台フレーム３０に対する第１金具５０の固定は、例えば軒側端部用金具８０にカバー９０及び振れ止め金具９５を設置してから行われる。
【００５９】
続いて、第１金具５０のベース部５１上に太陽電池モジュール１１ａの軒側端部に設けられたフレーム１３ａを配置する（工程（２））。そして、第１金具５０の挿嵌部５２をフレーム１３ａの外溝２４ａに挿し込む。換言すると、フレーム１３ａの底板２５ａをベース部５１と挿嵌部５２の間に挿し込む。これにより、太陽電池モジュール１１ａの軒側端部が架台フレーム３０にしっかり固定される。
【００６０】
続いて、押え部６２が太陽電池モジュール１１ａの棟側端部に設けられたフレーム１３ａの内鍔２６ａを押える位置に第２金具６０を固定する（工程（３））。第２金具６０の脚部６４は、ボルト３４を用いて側壁部３２，３３に固定される。次に、フレーム１３ａの外溝２４ａに第３金具７０の挿嵌部７２を挿し込む（工程（４））。工程（４）では、フレーム１３ａの底板２５ａと架台フレーム３０の上壁部３１との間に、第３金具７０のベース部７１が挿し込まれると同時に、外溝２４ａに挿嵌部７２が挿し込まれる。
【００６１】
続いて、図１６に示すように、太陽電池モジュール１１ａの棟側端部よりも棟側に第１金具５０を固定する（工程（５））。工程（５）では、第３金具７０の脚部７４と架台フレーム３０の側壁部３２，３３との間に第１金具５０の脚部５４が挿し込まれ、脚部５４はボルト３４を用いて脚部７４と共に側壁部３２，３３に固定される。これにより、太陽電池モジュール１１ａの棟側端部が架台フレーム３０にしっかり固定される。
【００６２】
続いて、第１金具５０のベース部５１上に太陽電池モジュール１１ｂの軒側端部に設けられたフレーム１３ｂを配置する（工程（６））。そして、第１金具５０の挿嵌部５２をフレーム１３ｂの外溝２４ｂに挿し込む。換言すると、フレーム１３ｂの底板２５ｂをベース部５１と挿嵌部５２の間に挿し込む。これにより、太陽電池モジュール１１ｂの軒側端部が架台フレーム３０にしっかり固定される。
【００６３】
上記構成を備えた太陽光発電装置１０は、上述の簡便な工程を経て容易に構築可能であり、施工性に優れている。太陽光発電装置１０は、施工が簡単でありながら、太陽電池モジュール１１を安定に固定可能な構造を有する。また、太陽光発電装置１０によれば、太陽電池モジュール１１ａ，１１ｂの隙間を小さくすることが可能であり、省スペース化を図ることができる。
【００６４】
図１７に、架台フレーム及び固定金具（第２金具）の変形例（架台フレーム３０ｘ及び第２金具６０ｘ）を示す。図１７では、第２金具６０ｘを例示しているが、他の固定金具にも同様の構成を適用できる。
【００６５】
図１７に例示するように、架台フレーム３０ｘの上面（上壁部３１ｘの上面）には、当該フレームの長手方向に沿って略直線状に延びるフレーム側目印３７が幅方向一端側（図１７に示す例では、側壁部３２側）に大きく偏って形成されている。フレーム側目印３７は、例えば上壁部３１ｘの幅方向中央部とフレームの幅方向一端との中間位置付近に形成されている。フレーム側目印３７は、架台フレーム３０ｘの全長に亘って形成されてもよく、第２金具６０ｘの設置位置近傍のみに形成されてもよい。
【００６６】
第２金具６０ｘの上面には、当該金具の縦方向に沿って略直線状に延びる金具側目印６６が横方向一端側に大きく偏って形成されている。金具側目印６６は、架台フレーム３０ｘのフレーム側目印３７と同様に、ベース部６１ｘの横方向中央部と当該金具の横方向一端との中間位置付近に形成されている。図１７に例示する形態では、金具側目印６６がフレーム側目印３７上に重なった状態で、第２金具６０ｘが架台フレーム３０ｘ上に配置されている。図１７に例示する形態によれば、第２金具６０ｘの正しい向きを把握することが容易であり、第２金具６０ｘが逆向きに取り付けられるという施工ミスを防止できる。各目印としては刻印が例示できるが、架台フレーム３０ｘ及び第２金具６０ｘに印刷又は貼付されたライン表示であってもよい。
【００６７】
図１８〜図２３に、実施形態の他の一例である太陽光発電装置１００を示す。
以下では、特に上記実施形態との相違点について詳細に説明する。
【００６８】
図１８は、太陽光発電装置１００の断面図である。
太陽光発電装置１００は、太陽光発電装置１０と同様に、架台フレーム１３０上でフレーム１３に係合し、架台フレーム１３０に太陽電池モジュール１１を固定するための固定金具として、第１金具１５０と、第２金具１６０とを備える。一方、太陽光発電装置１００は、第３金具を有さず、第１金具１５０が太陽電池モジュール１１ａの外溝２４ａに挿し込まれる挿嵌部１５７（第２挿嵌部）を有する点で太陽光発電装置１０と異なる。本実施形態では、太陽電池モジュール１１ａ，１１ｂの境界部分において、第１金具１５０が太陽電池モジュール１１ｂの軒側端部に設けられたフレーム１３ｂに取り付けられている。第２金具１６０は、太陽電池モジュール１１ａの棟側端部に設けられたフレーム１３ａに取り付けられている。
【００６９】
太陽光発電装置１００では、太陽電池モジュール１１ａ，１１ｂの境界部分において、第１金具１５０上にフレーム１３ｂが載置され、第２金具１６０上にフレーム１３ａが載置される。第１金具１５０は、当該境界部分においてフレーム１３ｂの外溝２４ｂに挿し込まれる挿嵌部１５２（第１挿嵌部）と、フレーム１３ａの外溝２４ａに挿し込まれる挿嵌部１５７（第２挿嵌部）とを有する。第２金具１６０は、当該境界部分においてフレーム１３ａの内鍔２６ａを押える押え部１６２を有する。
【００７０】
第１金具１５０及び第２金具１６０は、架台フレーム１３０上に配置されるベース部１５１，１６１と、当該ベース部から下方に延びた脚部１５４，１６４とをそれぞれ有する。各金具は、互いに略平行に対向配置された２つの脚部１５４，１６４をそれぞれ有し（後述の図２０，２２等参照）、各脚部が架台フレーム１３０の側壁部１３２，１３３上に張り出して当該側壁部に固定されることが好適である。即ち、各金具の各脚部同士の間隔は、側壁部１３２，１３３同士の間隔よりも広い。本実施形態では、第１金具１５０及び第２金具１６０が、それぞれ１本のボルト３４を用いて別々に架台フレーム１３０に固定されている。
【００７１】
図１９は、第１金具１５０が載せられた架台フレーム１３０を示す断面図である。
架台フレーム１３０は、互いに略平行に対向配置された２つの側壁部１３２，１３３を有する。側壁部１３２，１３３は、上下方向長さ、長手方向長さ共に互いに略同一である。架台フレーム１３０は、側壁部１３２，１３３同士をつなぐ部分として下壁部１３１を有する断面略コの字状の部材であって、当該フレームの長手方向に沿って形成される開口部が上を向いた状態で屋根上に配置されている。側壁部１３２，１３３は、下壁部１３１の幅方向両端部から上方に延び、下壁部１３１に対して略垂直に形成されている。安全性等の観点から、側壁部１３２，１３３の上部はフレームの内側に折り曲げられていることが好適である。架台フレーム１３０は、上記の通り開口部が上を向いているので、例えばボルト３４の状態を見ながらボルト止め作業をすることが可能であり、ボルト３４を取り付け易い。
【００７２】
架台フレーム１３０は、架台フレーム３０と同様に、アンカーを用いて屋根の野地板に固定される。本実施形態では、アンカーボルト４６が架台フレーム１３０に直接取り付けられており、フレーム受け金具４０は不要である。架台フレーム１３０の下壁部１３１には、アンカーボルト４６が挿通可能な貫通孔（図示せず）が形成されている。アンカーボルト４６に取り付けたナット４７の上に下壁部１３１を載せ、下壁部１３１の上からナット４８を当該ボルトに取り付けることで当該ボルトに架台フレーム１３０を固定できる。
【００７３】
第１金具１５０及び第２金具１６０は、ベース部１５１，１６１が架台フレーム１３０の側壁部１３２，１３３上に載せられ、脚部１５４，１６４が側壁部１３２，１３３に沿って延びるように、架台フレーム１３０上に跨って配置されている。上記の通り、脚部１５４，１６４は側壁部１３２，１３３上に張り出し、当該各側壁部にボルト３４及びナット３６を用いて固定される。ボルト３４は、脚部１５４同士の間隔よりも長く、第１金具１５０は、１本のボルト３４を用いて架台フレーム１３０に固定されることが好適である（脚部１６４についても同様）。
【００７４】
図１９に示す例では、架台フレーム１３０の側壁部１３２，１３３の間に補強金具１３７が設けられている。補強金具１３７は、例えば側壁部１３２，１３３の内面にそれぞれ接触する断面四角形状の部材であって、ボルト３４が挿通されるボルト孔１３８を有する。図１９に示す例では、ボルト３４が架台フレーム１３０のボルト孔１３５、第１金具１５０のボルト孔１５５、及び補強金具１３７のボルト孔１３８に挿通される。そして、補強金具１３７が側壁部１３２，１３３の間に挟まれた状態で、第１金具１５０の脚部１５４が側壁部１３２，１３３にボルト止めされる。即ち、ボルト３４は、補強金具１３７を側壁部１３２，１３３の間に挟んだ状態で、第１金具１５０の脚部１５４を側壁部１３２，１３３に固定する。補強金具１３７を設けることにより、当該ボルト止めの際に大きな荷重が側壁部１３２，１３３及び脚部１５４に作用した場合においても、これらの変形を抑制することができる。なお、第２金具１６０の固定にも補強金具１３７を用いることが好適である。
【００７５】
以下、図１８，１９に加えて図２０〜図２３を参照しながら、第１金具１５０及び第２金具１６０の構成について更に詳説する。ここでは、各金具が太陽電池モジュール１１ａ，１１ｂの境界部分に取り付けられるものとして説明する。
【００７６】
図２０及び図２１は、第１金具１５０を示す図である。
第１金具１５０は、平坦な板状に形成され、フレーム１３ｂが載せられるベース部１５１を有する。第１金具１５０は、ベース部１５１の横方向両端部から下方に延び、互いに略平行に対向配置された２つの脚部１５４を有する。第１金具１５０は、フレーム１３ａ，１３ｂの外溝２４ａ，２４ｂにそれぞれ挿し込まれる複数の挿嵌部（挿嵌部１５２、挿嵌部１５７）を有する。挿嵌部１５２，１５７は、ベース部１５１の軒側端部に形成されている。また、第１金具１５０は、第１金具１５０の棟側部分を上方に折り曲げて、ベース部１５１に対して略垂直に形成された立壁部１５６を有する。図２０に示す例では、ベース部１５１の横方向中央部に挿嵌部１５２が形成されており、挿嵌部１５２の横方向両側に挿嵌部１５７がそれぞれ形成されている。
【００７７】
挿嵌部１５２は、ベース部１５１との間にフレーム１３ｂの底板２５ｂを挿し込み可能な隙間が形成されるように、第１金具１５０の軒側部分を棟側に折り返して形成されている。挿嵌部１５２の外溝２４ｂに挿し込まれる部分は、ベース部１５１上においてベース部１５１と略平行に形成される。挿嵌部１５２の下面には、フレーム１３ｂの底板２５ｂの上面に接触する凸部１５３が横方向両側に１つずつ形成されている。ベース部１５１と挿嵌部１５２との好適な間隔は、例えば底板２５ｂの厚みの０．９５〜１．０５倍である。
【００７８】
挿嵌部１５７は、ベース部１５１の軒側端部から挿嵌部１５２と反対側（軒側）に延出し、フレーム１３ａの外溝２４ａに挿し込まれる部分はベース部１５１と略平行な板状に形成される。挿嵌部１５７は、架台フレーム１３０との間にフレーム１３ａの底板２５ａ及び第２金具１６０のベース部１６１を挿し込み可能な隙間が形成されるように、第１金具１５０の棟側部分を折り曲げて形成される。各挿嵌部１５７の下面には、フレーム１３ａの底板２５ａの上面に接触する凸部１５８が１つずつ形成されている。
【００７９】
脚部１５４は、ボルト３４が挿通されるボルト孔１５５を有する。例えば、脚部１５４は略四角形状であり、ボルト孔１５５は略真円形状である。対向配置される２つの脚部１５４は、互いに略同一形状、同一寸法を有し、いずれもベース部１５１に対して略垂直に設けられている。脚部１５４の寸法は、側壁部１３２，１３３に対する脚部１５４の固定、また他の金具の取り付けに支障がない長さであればよい。脚部１５４の縦方向長さは、ベース部１５１の縦方向長さと略同一、又はベース部１５１よりも短い。
【００８０】
各脚部１５４同士の間隔は、架台フレーム１３０の側壁部１３２，１３３同士の間隔よりも広く形成される。第１金具１５０は、一対の脚部１５４が架台フレーム１３０を幅方向両側から挟み、当該フレーム上に跨って配置される。このため、例えば架台フレーム１３０に対する第１金具１５０の固定作業において、金具の位置合わせが容易になり、また金具がフレーム上から落下することを抑制できる。
【００８１】
図２２及び図２３は、第２金具１６０を示す図である。
第２金具１６０は、平坦な板状に形成され、フレーム１３ａが載せられるベース部１６１と、ベース部１６１の横方向両端部から下方に延び、互いに略平行に対向配置された２つの脚部１６４とを有する。第２金具１６０は、フレーム１３ａの内鍔２６ａを上から押え付ける押え部１６２を有する。押え部１６２は、ベース部１６１の軒側端部に形成されている。
【００８２】
押え部１６２は、ベース部１６１との間にフレーム１３ａの内鍔２６ａを挿し込み可能な隙間が形成されるように、第２金具１６０の軒側部分を棟側に折り返して形成されている。押え部１６２の内鍔２６ａを押える部分は、ベース部１６１上においてベース部１６１と略平行に形成される。押え部１６２は、凸部１５３のような突起を有さない。ベース部１６１と押え部１６２との好適な間隔は、例えば内鍔２６ａの厚みの０．９５〜１．０５倍である。
【００８３】
脚部１６４は、ボルト３４が挿通されるボルト孔１６５を有する。ボルト孔１６５は、第２金具１６０の固定位置の自由度を高めるため、縦方向に長い長孔に形成されている。対向配置される２つの脚部１６４は、互いに略同一形状、同一寸法を有し、いずれもベース部１６１に対して略垂直に設けられている。脚部１６４の寸法は、側壁部１３２，１３３に対する脚部１６４の固定、また他の金具の取り付けに支障がない長さであればよい。脚部１６４の縦方向長さは、ベース部１６１の縦方向長さと略同一、又はベース部１６１よりも短い。
【００８４】
各脚部１６４同士の間隔は、架台フレーム１３０の側壁部１３２，１３３同士の間隔よりも広く形成される。第２金具１６０は、第１金具１５０と同様に、一対の脚部１６４が架台フレーム１３０を幅方向両側から挟み、当該フレーム上に跨って配置される。このため、例えば架台フレーム１３０に対する第２金具１６０の固定作業において、金具の位置合わせが容易になり、また金具がフレーム上から落下することを抑制できる。
【００８５】
上記構成を備えた太陽光発電装置１００の施工には、第３金具の固定作業がない点で太陽光発電装置１０の場合と異なる。太陽光発電装置１００では、第１金具１５０がフレーム１３ａ，１３ｂの外溝２４ａ，２４ｂに挿し込まれる。また、太陽電池モジュール１１ａの棟側端部に設けられるフレーム１３ａは、第２金具１６０のベース部１６１上に配置され、第２金具１６０によって内鍔２６ａが押えられる。なお、太陽光発電装置１００の軒側端部にはカバー９０を取り付けることができ、例えば軒側端部用金具８０の代わりに別の金具（例えば、挿嵌部１５７を有さない以外は第１金具１５０と同じ形状の金具）が用いられる。
【００８６】
上記構成を備えた太陽光発電装置１００は、太陽光発電装置１０と同様に、簡便な工程を経て容易に構築可能であり、施工が簡単でありながら、太陽電池モジュール１１を安定に固定可能な構造を有する。太陽光発電装置１００は、太陽光発電装置１０に比べて部品点数が少ないため、例えば材料コストの削減、施工性の更なる向上に寄与する。
【００８７】
図２４〜図２９に、実施形態の他の一例である太陽光発電装置２００を示す。
以下では、特に上記実施形態との相違点について詳細に説明する。
【００８８】
図２４は、太陽光発電装置２００の断面図である。
太陽光発電装置２００は、太陽光発電装置１０，１００と同様に、架台フレーム２３０上でフレーム１３に係合し、架台フレーム２３０に太陽電池モジュール１１を固定するための固定金具として、第１金具２５０と、第２金具２６０とを備える。第１金具２５０は、太陽電池モジュール１１ａの外溝２４ａに挿し込まれる挿嵌部２５７（第２挿嵌部）を有する。本実施形態では、太陽電池モジュール１１ａ，１１ｂの境界部分において、第１金具２５０が太陽電池モジュール１１ｂの軒側端部に設けられたフレーム１３ｂに取り付けられている。第２金具２６０は、太陽電池モジュール１１ａの棟側端部に設けられたフレーム１３ａに取り付けられている。詳しくは後述するが、第１金具２５０及び第２金具２６０は架台フレーム２３０の側壁部２３２にボルト止めされる脚部をそれぞれ１つずつ有する。
【００８９】
太陽光発電装置２００では、太陽光発電装置１００と同様に、太陽電池モジュール１１ａ，１１ｂの境界部分において、第１金具２５０上にフレーム１３ｂが載置され、第２金具２６０上にフレーム１３ａが載置される。第１金具２５０は、当該境界部分においてフレーム１３ｂの外溝２４ｂに挿し込まれる挿嵌部２５２（第１挿嵌部）と、フレーム１３ａの外溝２４ａに挿し込まれる挿嵌部２５７（第２挿嵌部）とを有する。第２金具２６０は、当該境界部分においてフレーム１３ａの内鍔２６ａを押える押え部２６２を有する。
【００９０】
第１金具２５０及び第２金具２６０は、架台フレーム２３０上に配置されるベース部２５１，２６１と、当該ベース部から下方に延びた脚部２５４，２６４とをそれぞれ有する。脚部２５４，２６４は、それぞれベース部２５１，２６１の横方向一端側に設けられている。第１金具２５０及び第２金具２６０は、ベース部２５１，２６１の横方向他端側に設けられ、架台フレーム２３０の上壁部２３１に引っ掛けられる係止部２５９，２６６をそれぞれ有する。本実施形態では、第１金具２５０及び第２金具２６０が、それぞれ１本のボルト２３４を用いて別々に架台フレーム２３０に固定されている。
【００９１】
図２５は、第１金具２５０が載せられた架台フレーム２３０を示す断面図である。
架台フレーム２３０は、当該フレームの幅方向一方側に設けられた側壁部２３２と、側壁部２３２の上端部から幅方向他方側に延びる上壁部２３１と、側壁部２３２の下端部から幅方向他方側に延びる下壁部２３３とを有する。架台フレーム２３０は、幅方向他方側に向かって開口した断面略コの字状の部材である。即ち、架台フレーム２３０は、当該フレームの長手方向に沿って形成される開口部が横方向を向いた状態で屋根上に配置されている。上壁部２３１及び下壁部２３３は、側壁部２３２に対して略垂直に形成されている。架台フレーム２３０は、上記の通り開口部が横方向を向いているので、例えばボルト２３４の状態を見ながらボルト止め作業をすることが可能であり、ボルト２３４を取り付け易い。
【００９２】
架台フレーム２３０は、架台フレーム３０，１３０と同様に、アンカーを用いて屋根の野地板に固定される。本実施形態では、アンカーボルト４６が架台フレーム２３０に直接取り付けられており、フレーム受け金具４０は不要である。架台フレーム２３０の下壁部２３３には、アンカーボルト４６が挿通可能な貫通孔（図示せず）が形成されている。アンカーボルト４６に取り付けたナット４７の上に下壁部２３３を載せ、下壁部２３３の上からナット４８を当該ボルトに取り付けることで当該ボルトに架台フレーム２３０を固定できる。
【００９３】
第１金具２５０及び第２金具２６０は、ベース部２５１，２６１が架台フレーム２３０の上壁部２３１に載せられる。そして、脚部２５４，２６４が側壁部２３２上に沿って延び、係止部２５９，２６６が上壁部２３１の端部に引っ掛けられた状態で、架台フレーム２３０上に配置される。脚部２５４，２６４は、架台フレーム２３０の側壁部２３２上に張り出し、当該各側壁部にボルト２３４及びナット２３６を用いて固定される。ボルト２３４は、架台フレーム２３０の幅よりも短く、例えば側壁部２３２の内側からボルト孔２３５、及び脚部２５４のボルト孔２５５に挿通される（脚部２６４についても同様）。
【００９４】
以下、図２４，２５に加えて図２６〜図２９を参照しながら、第１金具２５０及び第２金具２６０の構成について更に詳説する。ここでは、各金具が太陽電池モジュール１１ａ，１１ｂの境界部分に取り付けられるものとして説明する。
【００９５】
図２６及び図２７は、第１金具２５０を示す図である。
第１金具２５０は、平坦な板状に形成され、フレーム１３ｂが載せられるベース部２５１と、ベース部２５１の横方向一端部から下方に延びた脚部２５４と、ベース部２５１の横方向他端側に設けられた係止部２５９とを有する。また、第１金具２５０は、フレーム１３ａ，１３ｂの外溝２４ａ，２４ｂにそれぞれ挿し込まれる複数の挿嵌部（挿嵌部２５２，２５７）と、第１金具５０の棟側部分を上方に折り曲げ、ベース部２５１に対して略垂直に形成された立壁部２５６とを有する。挿嵌部２５２，２５７はベース部２５１の軒側端部に、立壁部２５６はベース部２５１の棟側端部にそれぞれ形成される。図２６に示す例では、ベース部２５１の横方向中央部に挿嵌部２５２が形成されており、挿嵌部２５２の横方向両側に挿嵌部２５７がそれぞれ形成されている。挿嵌部２５２，２５７は、第１金具１５０の挿嵌部１５２，１５７と同様の形態を有し、各々の下面には凸部２５３，２５８が形成されている。
【００９６】
脚部２５４は、ボルト２３４が挿通されるボルト孔２５５を有し、ボルト２３４及びナット２３６を用いて架台フレーム２３０の側壁部２３２に固定される。例えば、脚部２５４は略四角形状であり、ボルト孔２５５は略真円形状である。脚部２５４の寸法は、側壁部２３２に対する脚部２５４の固定、また他の金具の取り付けに支障がない長さであればよい。脚部２５４の縦方向長さは、ベース部２５１の縦方向長さと略同一、又はベース部２５１よりも短い。
【００９７】
係止部２５９は、ベース部２５１との間に架台フレーム２３０の上壁部２３１を挿し込み可能な隙間が形成されるように、第１金具２５０の横方向他端側部分を横方向一端側、即ち脚部２５４側に折り返して形成されている。係止部２５９の先端側部分は、ベース部２５１の下面上においてベース部２５１と略平行に形成され、ベース部２５１と共に上壁部２３１の端部を挟持している。係止部２５９の上面には、上壁部２３１の下面に当接する凸部２７０が形成されることが好適である。第１金具２５０は、係止部２５９が架台フレーム２３０から容易に外れることなく、且つ当該フレームに沿ってスライド可能な設計とすることが好ましい。ベース部２５１と係止部２５９との好適な間隔は、例えば上壁部２３１の厚みの１．０〜１．１倍である。
【００９８】
第１金具２５０は、脚部２５４と係止部２５９が架台フレーム２３０を幅方向両側から挟み、当該フレーム上に跨って配置される。このため、例えば架台フレーム１３０に対する第１金具２５０の固定作業において、金具の位置合わせが容易になり、また金具がフレーム上から落下することを抑制できる。第１金具２５０は、係止部２５９が上壁部２３１の端部に引っ掛けられた状態で架台フレーム２３０の長手方向に沿ってスライド可能である。なお、上壁部２３１の先端側に係止部２５９が嵌る寸法の切欠き部を形成して、当該切欠き部から第１金具２５０を取り付け可能としてもよい。
【００９９】
図２８及び図２９は、第２金具２６０を示す図である。
第２金具２６０は、平坦な板状に形成され、フレーム１３ａが載せられるベース部２６１と、ベース部２６１の横方向一端部から下方に延びた脚部２６４と、ベース部２６１の横方向他端側に設けられた係止部２６６とを有する。また、第２金具２６０は、フレーム１３ａの内鍔２６ａを上から押え付ける押え部２６２を有する。押え部２６２は、ベース部２６１の軒側端部に形成されている。押え部２６２は、第２金具１６０の押え部１６２と同様の形態を有する。
【０１００】
脚部２６４は、ボルト２３４が挿通されるボルト孔２６５を有し、ボルト２３４及びナット２３６を用いて架台フレーム２３０の側壁部２３２に固定される。ボルト孔２６５は、第２金具２６０の固定位置の自由度を高めるため、縦方向に長い長孔に形成されている。脚部２６４の寸法は、側壁部２３２に対する脚部２６４の固定、また他の金具の取り付けに支障がない長さであればよい。脚部２６４の縦方向長さは、ベース部２６１の縦方向長さと略同一、又はベース部２６１よりも短い。
【０１０１】
係止部２６６は、第１金具２５０と同様の形態を有し、係止部２６６の上面には上壁部２３１の下面に当接する凸部２６７が形成されている。第２金具２６０は、係止部２６６が架台フレーム２３０から容易に外れることなく、且つ当該フレームに沿ってスライド可能な設計であって、脚部２６４と係止部２６６が架台フレーム２３０を幅方向両側から挟み、当該フレーム上に跨って配置される。このため、例えば架台フレーム２３０に対する第２金具２６０の固定作業において、金具の位置合わせが容易になり、また金具がフレーム上から落下することを抑制できる。
【０１０２】
上記構成を備えた太陽光発電装置２００の施工手順は、太陽光発電装置１００の場合と同様である。但し、第１金具２５０及び第２金具２６０を架台フレーム２３０上に配置する際に、係止部２５９，２６６を上壁部２３１に引っ掛け、目的とする固定位置まで金具をスライドさせる点が太陽光発電装置１００の場合と異なる。また、各金具はそれぞれ１つの脚部２５４，２６４が架台フレーム２３０の側壁部２３２に固定される。
【０１０３】
上記構成を備えた太陽光発電装置２００は、太陽光発電装置１０，１００と同様に、簡便な工程を経て容易に構築可能であり、施工が簡単でありながら、太陽電池モジュール１１を安定に固定可能な構造を有する。太陽光発電装置２００は、架台フレーム２３０の長手方向に沿った開口部が横方向に向いており、また短いボルト２３４を使用するため、例えば太陽光発電装置１０，１００に比べてボルト２３４の固定作業が容易である。
【０１０４】
なお、上記各実施形態の構成要素を組み合わせた形態、或いは組み替えた形態としてもよい。例えば、図３０に例示する形態では、フレームの長手方向に沿って形成される開口部が上を向いた状態で屋根上に配置される架台フレーム１３０に、３つの金具（第１金具５０、第２金具６０、及び第３金具７０）を含む固定金具１４を適用している。この場合も、各金具の一対の脚部の間に補強部材１３７（図３０では図示せず）を設けることができる。
【０１０５】
図３１に例示する形態では、フレームの長手方向に沿って形成される開口部が横方向を向いた状態で屋根上に配置される架台フレーム２３０に、３つの金具（第１金具５０ｙ、第２金具６０ｙ、及び第３金具７０ｙ）を含む固定金具１４ｙを適用している。第１金具５０ｙは、１つの脚部５４に代えて、架台フレーム２３０の上壁部２３１に引っ掛けられる係止部５４ｙを有する点で、第１金具５０と異なる。即ち、第１金具５０ｙは、ベース部５１の横方向一端側に設けられた脚部５４と、ベース部５１の横方向他端側に設けられた係止部５４ｙとを有する。同様に、第２金具６０ｙ及び第３金具７０ｙは、脚部６４，７４と、係止部６４ｙ，７４ｙとをそれぞれ有する。
【符号の説明】
【０１０６】
１０  太陽光発電装置、１１，１１ａ，１１ｂ  太陽電池モジュール、１２，１２ａ，１２ｂ  太陽電池パネル、１３，１３ａ，１３ｂ  モジュールフレーム（フレーム）、１４  固定金具、２０  本体部、２１，２３  鉤部、２２，２２ａ，２２ｂ  内溝、２４，２４ａ，２４ｂ  外溝、２５，２５ａ，２５ｂ  底板、２６，２６ａ，２６ｂ  内鍔、３０，３０ｘ  架台フレーム、３１，３１ｘ  上壁部、３２，３３  側壁部、３４  ボルト、３５  ボルト孔、３６  ナット、３７  フレーム側目印、４０  フレーム受け金具、４１  下壁部、４２，４３  側壁部、４４  ボルト、４５  ナット、４６  アンカーボルト、４７，４８  ナット、５０  第１金具、５１  ベース部、５２  挿嵌部、５３  凸部、５４  脚部、５５  ボルト孔、５６  立壁部、６０，６０ｘ  第２金具、６１，６１ｘ  ベース部、６２  押え部、６４  脚部、６５  ボルト孔、６６  金具側目印、７０  第３金具、７１  ベース部、７２  挿嵌部、７３  凸部、７４  脚部、７５  ボルト孔、８０  軒側端部用金具、８１  ベース部、８２，８３  挿嵌部、８４  脚部、８５  ボルト孔、８６  凹部、９０  カバー、９１  カバー本体、９２  パネル部、９３，９４  溝部、９５  振れ止め金具、９６  ビス、１００  太陽光発電装置、１３０  架台フレーム、１３１  下壁部、１３２，１３３  側壁部、１３５  ボルト孔、１３７  補強金具、１３８  ボルト孔、１５０  第１金具、１５１  ベース部、１５２，１５７  挿嵌部、１５３，１５８  凸部、１５４  脚部、１５５  ボルト孔、１５６  立壁部、１６０  第２金具、１６１  ベース部、１６２  押え部、１６４  脚部、１６５  ボルト孔、２００  太陽光発電装置、２３０  架台フレーム、２３１  上壁部、２３２  側壁部、２３３  下壁部、２３４  ボルト、２３５  ボルト孔、２３６  ナット、２５０  第１金具、２５１  ベース部、２５２，２５７  挿嵌部、２５３，２５８  凸部、２５４  脚部、２５５  ボルト孔、２５６  立壁部、２５９  係止部、２７０  凸部、２６０  第２金具、２６１  ベース部、２６２  押え部、２６４  脚部、２６５  ボルト孔、２６６  係止部、２６７  凸部
【図１】
2017020266.tif 000003
【図２】
2017020266.tif 000004
【図３】
2017020266.tif 000005
【図４】
2017020266.tif 000006
【図５】
2017020266.tif 000007
【図６】
2017020266.tif 000008
【図７】
2017020266.tif 000009
【図８】
2017020266.tif 000010
【図９】
2017020266.tif 000011
【図１０】
2017020266.tif 000012
【図１１】
2017020266.tif 000013
【図１２】
2017020266.tif 000014
【図１３】
2017020266.tif 000015
【図１４】
2017020266.tif 000016
【図１５】
2017020266.tif 000017
【図１６】
2017020266.tif 000018
【図１７】
2017020266.tif 000019
【図１８】
2017020266.tif 000020
【図１９】
2017020266.tif 000021
【図２０】
2017020266.tif 000022
【図２１】
2017020266.tif 000023
【図２２】
2017020266.tif 000024
【図２３】
2017020266.tif 000025
【図２４】
2017020266.tif 000026
【図２５】
2017020266.tif 000027
【図２６】
2017020266.tif 000028
【図２７】
2017020266.tif 000029
【図２８】
2017020266.tif 000030
【図２９】
2017020266.tif 000031
【図３０】
2017020266.tif 000032
【図３１】
2017020266.tif 000033